(57)【要約】【課題】原稿の重なりを容易に見つけること。【解決手段】載置部に載置された原稿を排出部へ搬送する原稿搬送部と、搬送される原稿から画像を読み取る原稿読取部と、読み取られた画像を画像データとして格納する画像格納部と、画像格納部から画像データを出力する出力部と、読み取り原稿を検知する原稿検知部と、原稿読み取り条件を入力するための入力部と、表示部と、前記入力部および原稿検知部からの出力を受けて前記原稿搬送部と原稿読取部と画像格納部と出力部と表示部とを制御する制御部とを備え、特定パターンを所定枚数毎に予め付加した複数の原稿を搬送して読み取るとき、前記制御部は特定パターン付き原稿間の読み取り原稿枚数を計数し、計数した原稿枚数を特定パターン付き原稿間毎に前記表示部に表示させる画像読取り装置。【選択図】図３
2015012575.tif 000002
【特許請求の範囲】
【請求項１】
載置部に載置された原稿を排出部へ搬送する原稿搬送部と、搬送される原稿から画像を読み取る原稿読取部と、読み取られた画像を画像データとして格納する画像格納部と、画像格納部から画像データを出力する出力部と、読み取り原稿を検知する原稿検知部と、原稿読み取り条件を入力するための入力部と、表示部と、前記入力部および原稿検知部からの出力を受けて前記原稿搬送部と原稿読取部と画像格納部と出力部と表示部とを制御する制御部とを備え、特定パターンを所定枚数毎に予め付加した複数の原稿を搬送して読み取るとき、前記制御部は特定パターン付き原稿間の読み取り原稿枚数を計数し、計数した原稿枚数を特定パターン付き原稿間毎に前記表示部に表示させる画像読取り装置。
【請求項２】
計数された原稿枚数が特定パターン付き原稿間毎に表示部に表示されるとき、前記制御部は、表示された特定パターン付き原稿間の１つが前記入力部から指定されると、次に新しく搬送され読み取られる原稿の画像データを、指定された特定パターン付原稿間の原稿のもとの画像データの代りに前記格納部に格納する請求項１記載の画像読取り装置。
【請求項３】
計数された原稿枚数が特定パターン付き原稿間毎に表示部に表示され、表示された特定パターン付き原稿間の１つが前記入力部から指定されると共に、前記複数の原稿が再び搬送されるとき、原稿読取部は指定された特定パターン付き原稿間の原稿のみを読み取り、指定された特定パターン付原稿間の原稿のもとの画像データの代りに前記格納部に格納する請求項１記載の画像読取り装置。
【請求項４】
前記制御部は、前記表示部が計数された原稿枚数を特定パターン付き原稿間毎に表示するとき、対応する特定パターン付き原稿間を特定する符号を原稿枚数に付加して表示させる請求項１〜３のいずれか１つに記載の画像読取り装置。
【請求項５】
請求項１〜４のいずれか１つに記載の画像読取り装置を備えた画像処理装置。
【発明の詳細な説明】
【技術分野】
【０００１】
この発明は、画像読取装置およびそれを備えた画像処理装置に関する。
【背景技術】
【０００２】
この発明に関連する背景技術としては、予め原稿枚数を記載したセパレート用紙（原稿と異なる用紙）を、複数枚の原稿に記載枚数毎に挿入し、セパレート用紙に記載されている原稿枚数と、そのセパレート用紙以降に実際に読み取られた原稿枚数とが一致しない場合には、その旨を表示装置に表示させるようにした画像読取装置が知られている（例えば、特許文献１参照）。
【先行技術文献】
【特許文献】
【０００３】
【特許文献１】特開２００３−１０８４９６号公報
【発明の概要】
【発明が解決しようとする課題】
【０００４】
画像読取装置において、大量の原稿を読み取る際、読み取り原稿が静電気等の原因で誤って複数枚重なって同時に読み取られた場合、どの原稿が重なって読み取られたかを確認するためには、原稿と読み取りデータを全数照合しなければならない。また、上記の背景技術を用いると、予め原稿枚数を記載したセパレート用紙（原稿と異なる用紙）を原稿に所定枚数毎に挿入し、読み取り終了後に、それらを除去しなければならないので、手間を要するという問題点があった。
【０００５】
この発明はこのような事情を考慮してなされたもので、セパレート用紙のような特別な用紙を使用することなく、容易に原稿の重なりを見つけることが可能な画像読取装置およびそれをそなえた画像処理装置を提供するものである。
【課題を解決するための手段】
【０００６】
この発明は、載置部に載置された原稿を排出部へ搬送する原稿搬送部と、搬送される原稿から画像を読み取る原稿読取部と、読み取られた画像を画像データとして格納する画像格納部と、画像格納部から画像データを出力する出力部と、読み取り原稿を検知する原稿検知部と、原稿読み取り条件を入力するための入力部と、表示部と、前記入力部および原稿検知部からの出力を受けて前記原稿搬送部と原稿読取部と画像格納部と出力部と表示部とを制御する制御部とを備え、特定パターンを所定枚数毎に予め付加した複数の原稿を搬送して読取るとき、前記制御部は特定パターン付き原稿間の読み取り原稿枚数を計数し、計数した原稿枚数を特定パターン付き原稿間毎に前記表示部に表示させる画像読取り装置を提供するものである。
【発明の効果】
【０００７】
この発明によれば、複数の原稿に対して所定枚数毎に予め特定パターンを付加しておき、その原稿を読み取るときに、特定パターン付き原稿間の読み取り原稿枚数をカウントして特定パターン付き原稿間毎に表示するので、原稿の重なりは、特定パターン付き原稿間の読み取り原稿数の不足として容易に見つけることができる。
【図面の簡単な説明】
【０００８】
【図１】この発明に係る画像処理装置の構成説明図である。
【図２】図１に示す画像処理装置の制御系を示すブロック図である。
【図３】図２に示す制御系の動作の第１実施例を示すフローチャートである。
【図４】図１に示す画像処理装置の操作パネルを示す説明図である。
【図５】図１に示す画像処理装置の操作パネルを示す説明図である。
【図６】図１に示す画像処理装置の操作パネルを示す説明図である。
【図７】図１に示す画像処理装置の操作パネルを示す説明図である。
【図８】図１に示す画像処理装置の操作パネルを示す説明図である。
【図９】図１に示す画像処理装置の操作パネルを示す説明図である。
【図１０】この発明に係る特定パターンを付加した原稿を示す説明図である。
【図１１】図２に示す制御系の動作の第２実施例を示すフローチャートである。
【発明を実施するための形態】
【０００９】
この発明の画像読取装置は、載置部に載置された原稿を排出部へ搬送する原稿搬送部と、搬送される原稿から画像を読み取る原稿読取部と、読み取られた画像を画像データとして格納する画像格納部と、画像格納部から画像データを出力する出力部と、読み取り原稿を検知する原稿検知部と、原稿読み取り条件を入力するための入力部と、表示部と、前記入力部および原稿検知部からの出力を受けて前記原稿搬送部と原稿読取部と画像格納部と出力部と表示部とを制御する制御部とを備える。そして、特定パターンを所定枚数毎に予め付加した複数の原稿を搬送して読み取るとき、前記制御部は特定パターン付き原稿間の読み取り原稿枚数を計数し、計数した原稿枚数を特定パターン付き原稿間毎に前記表示部に表示させることを特徴とする。
【００１０】
計数された原稿枚数が特定パターン付き原稿間毎に表示部に表示されるとき、前記制御部は、表示された特定パターン付き原稿間の１つが前記入力部から指定されると、次に新しく搬送され読み取られる原稿の画像データを、指定された特定パターン付原稿間の原稿のもとの画像データの代りに前記格納部に格納してもよい。
【００１１】
計数された原稿枚数が特定パターン付き原稿間毎に表示部に表示され、表示された特定パターン付き原稿間の１つが前記入力部から指定されると共に、前記複数の原稿が再び搬送されるとき、原稿読取部は指定された特定パターン付き原稿間の原稿のみを読み取り、指定された特定パターン付原稿間の原稿のもとの画像データの代りに前記格納部に格納してもよい。
【００１２】
前記制御部は、前記表示部が計数された原稿枚数を特定パターン付き原稿間毎に表示するとき、対応する特定パターン付き原稿間を特定する符号を原稿枚数に付加して表示させることが好ましい。
【００１３】
この発明は、別の観点から、上記の画像読取り装置を備えた画像処理装置を提供するものである。
【００１４】
以下、図面に示す実施形態を用いてこの発明を詳述する。
画像処理装置の構成
図１はこの発明の実施形態に係る画像処理装置の構成説明図である。同図に示すように、画像処理装置１００は、原稿搬送部１０と、原稿読取部２０と、画像形成部３０と、用紙供給部４０とを備える。
【００１５】
原稿搬送部１０は、原稿を重ねて載置可能な載置部（載置台）１１と、原稿を一枚ずつ載置部１１から取り上げる原稿ピックアップローラ１２と、取り上げた原稿を搬送路へ送出する原稿送出ローラ１３と、原稿を搬送する複数の搬送ローラ１４と、搬送される原稿を背面からコンタクトガラス２１へ押圧するプラテン１５と、原稿を検知する原稿検知部（原稿検知センサ）１６と、原稿を排出する原稿排出ローラ１７と、排出された原稿を受け入れる原稿排出部（排出トレイ）１８とを備える。
【００１６】
原稿読取部２０は、ＣＣＤ２６と、プラテン１５とコンタクトガラス２１との間を通過する原稿を照明する光源２２と、光源２２により照明された原稿からの画像光をＣＣＤ２６へ伝送するミラー２３，２４，２５と、画像光をＣＣＤ２６に結像する光学レンズ２７を備える。
【００１７】
画像形成部３０と用紙供給部４０は、原稿読取部２０で読み取った画像を用紙に印刷して出力する出力部６０（図２）を構成する。
【００１８】
用紙供給部４０は、用紙を収容する用紙カセット４１と、用紙を用紙カセット４１から一枚ずつ取り上げるピックアップローラ４２と、取り上げた用紙を搬送路へ送出する用紙送出ローラ４３と、画像形成部３０へタイミングを合わせて用紙を搬入するレジストローラ３１を備える。
【００１９】
画像形成部３０は、感光体ドラム３２と、画像データを光に変換して感光体ドラム３２に静電潜像を形成する露光装置５２と、感光体ドラム３７を予め一様に帯電する帯電装置３７と、感光体ドラム３２の静電潜像をトナー像に現像する現像装置３３と、現像装置３３にトナーを補給するトナー補給装置３４と、レジストローラ３１から搬入される用紙へ感光体ドラム３２からトナー像を転写する転写装置３５と、転写の終了した感光体ドラム３２を清掃して除電するクリーニング装置３６と、トナー像が転写された用紙を定着する定着装置３８と、定着装置３８から搬送ローラ３９と用紙排出ローラ５０とによって排出される用紙を受け入れる用紙排出部（排出トレイ）５１を備える。
【００２０】
図２は図１に示す画像処理装置１００の制御系を示すブロック図である。同図に示すように、制御部９０は、操作部（操作パネル）８０の入力部８１と原稿搬送部１０の原稿検知部１６からの出力を受けて、原稿搬送部１０と、原稿読取部２０と、出力部６０と、画像格納部７０と、操作部（操作パネル）８０の表示部８２とを制御するようになっている。ここで、出力部６０は、画像形成部３０と用紙供給部４０から構成される。
【００２１】
なお、画像格納部７０はＲＡＭから構成され、原稿読取部２０のＣＣＤ２６で読み取られて制御部９０で各種の処理が施こされた画像データを一時的に格納し、必要に応じて画像形成部３０の露光装置５２へ出力するようになっている。
【００２２】
また、制御部９０は、ＣＰＵ、ＲＯＭ、ＲＡＭからなるマイクロコンピュータを備えると共に、原稿搬送部１０、画像形成部３０および用紙供給部４０などを駆動するドライバー回路を備える。
【００２３】
なお、制御部９０は、そのＲＯＭに以下に述べる画像処理装置１００の印刷動作を実行するプログラムと、原稿読み取り動作の第１又は第２実施例を実行するプログラムとを格納している。
【００２４】
図４〜図９は操作部（操作パネル）８０の正面図である。これらの図に示すように、操作部８０では表示部８２がＬＣＤから構成され、入力部８１は表示部８２に重ねて設けられたタッチパネル８１ａと、テンキー８１ｂと、起動押釦スイッチ８１ｃから構成される。
【００２５】
画像処理装置の動作
（１）印刷動作
まず、画像処理装置１００における印刷動作を説明する。
図４に示す操作部８０において、オペレータが表示部８２の「印刷」の表示領域を指で押すと、表示部８２の表示が図９に示すように変化する。
【００２６】
そこで、テンキー８１ｂによって印刷部数を入力する。また、印刷濃度、倍率、原稿サイズは、対応する表示領域を指で押すと、それぞれの設定用画面が現われるので、それによって設定を行う。それらの設定が終了した後、起動押釦スイッチ８１ｃを押すと、印刷動作が開始される。印刷動作においては、画像格納部７０（図２）に予め格納されている画像データが読み出される。
【００２７】
図１に示す画像形成部３０において、露光装置５２は、読み出された画像データを光に変換して回転中の感光体ドラム３２に静電潜像を形成し、現像装置３３はその静電潜像をトナー像に現像する。
【００２８】
一方、用紙カセット４１から用紙がレジストローラ３１へ供給される。レジストローラ３１は、回転する感光体ドラム３２の静電潜像の位置に合わせて用紙を転写装置３５へ供給する。転写装置３５は、供給された用紙に感光体ドラム３２からトナー像を転写する。
【００２９】
トナー像が転写された用紙は定着装置３８へ搬送され、トナー像が用紙に定着される。定着された用紙は用紙排出部５１へ排出される。なお、この印刷動作は、設定された印刷濃度、倍率、原稿サイズ、部数に対応して実行される。
【００３０】
（２）原稿読み取り動作
第１実施例
次に、画像処理装置１００における原稿読み取り動作の第１実施例を、図３に示すフローチャートを用いて説明する。この場合、制御部９０（図２）のＲＯＭには第１実施例を実行するプログラムが格納されている。
【００３１】
まず、オペレータは、複数の原稿（この実施形態では１００枚の原稿）を、所定枚数ごとに（この実施形態では１０枚ごとに）、１０グループに分け、図１０に示すように各グループの１枚目の原稿Ｐに対して、特定パターンＭを追加する（ステップＳ１）。
【００３２】
次に、全原稿１００枚を重ねて載置部１１（図１）に載置する（ステップＳ２）。そして、図４に示す操作部８０において、オペレータが表示部８２の「読み取り」の表示領域を指で押すと、表示部８２の表示が図５に示すように変化する。図５では、表示部８２が各グループの番号１〜１０を表示する。
【００３３】
そこで、オペレータが起動押釦スイッチ８１ｃを押すと、原稿読み取り動作が開始される（ステップＳ３）。つまり、載置部１１から原稿が一枚ずつピックアップローラ１２と送出ローラ３１によって搬送路に送出され、搬送ローラ１４によって搬送されてコンタクトガラス２１とプラテン１５との間を通って、排出部１８へ排出される。
【００３４】
そして、その間に、原稿は画像データとして特定パターンＭ（図１０）と共にＣＣＤ２６によって読み取られる。また、コンタクトガラス２１上を通過する原稿が原稿検知部（原稿検知センサ）１６によって検知され、制御部９０によって原稿読み取り枚数として計数される。
【００３５】
制御部９０は、ＣＣＤ２６が読み取った原稿の画像データと特定パターンＭとから、特定パターン付き原稿間毎に計数された原稿枚数Ｎと読み取られた画像データを順番にグループ番号を付けて画像格納部７０（図２）に格納する。それと同時に、そのグループ番号に対応する原稿枚数を図６に示すように表示部８２に表示させる（ステップＳ４）。
【００３６】
なお、この実施例では、特定パターン付原稿間の原稿枚数Ｎの代りに特定パターン付き原稿１枚を含む（Ｎ＋１）を表示するようにしている。そして、１００枚の原稿の読み取りが終了すると（ステップＳ５）、オペレータは図６に示す表示部８２の表示からグループ番号「４」およびグループ番号「７」の読み取り原稿枚数が不足していることを認識する（ステップＳ６）。
【００３７】
オペレータが図６に示す表示部８２のグループ番号「４」の表示領域を指で押すと（ステップＳ７）、その原稿枚数「８」が表示部８２から消去されると共に、格納部７０のグループ番号「４」に対応する格納領域から原稿８枚分の画像データが消去される。そこで、オペレータはグループ番号「４」に対応する原稿１０枚を全原稿から抜き出して載置部１１に載置する（ステップＳ８）。
【００３８】
次に、オペレータは図６に示す表示部８２の「読み取り」の表示領域を指で押すと共に、起動押釦スイッチ８１ｃを押すと、載置部１１に載置された１０枚の原稿が順次読み取られる（ステップＳ９）。読み取られた画像データは画像格納部７０のグループ番号「４」に対応する格納領域に格納されると共に表示部８２の表示が図７に示すように変化し、グループ番号「４」に対応する読み取り原稿枚数が表示される（ステップＳ１０）。
【００３９】
そして、ルーチンはステップＳ６に戻る。そこで、オペレータは図７に示す表示部８２の表示からグループ番号「４」の読み取り原稿枚数が正しく修正されたことおよびグループ番号「７」の原稿枚数がまだ不足していることを認識する（ステップＳ６）。そこで、前述と同様にステップＳ７〜Ｓ９の実行を実行し、グループ番号「７」の原稿枚数が正しく修正されると表示部８２の表示が図８に示すように変化する。
【００４０】
これによって、オペレータは原稿枚数が１０枚より少ないグループは皆無であることを確認し（ステップＳ６）、図９に示す表示部８２の「印刷」の表示領域を指で押し、印刷部数、印刷濃度、倍率、原稿サイズを設定する。そして、起動押釦スイッチ８１ｃを押すと、前述の印刷動作が実行され、画像格納部７０に格納された原稿１００枚分の画像データが全て印刷される（ステップＳ１１，Ｓ１２）。
【００４１】
第２実施例
次に、画像処理装置１００における原稿読み取り動作の第２実施例を、図１１に示すフローチャートを用いて説明する。この場合、制御部９０（図２）のＲＯＭには第２実施例を実行するプログラムが格納されている。
【００４２】
まず、オペレータは、複数の原稿（この実施形態では１００枚の原稿）を、所定枚数ごとに（この実施形態では１０枚ごとに）、１０グループに分け、図１０に示すように各グループの１枚目の原稿Ｐに対して、特定パターンＭを追加する（ステップＳ１）。
【００４３】
次に、全原稿１００枚を重ねて載置部１１（図１）に載置する（ステップＳ２）。そして、図４に示す操作部８０において、オペレータが表示部８２の「読み取り」の表示領域を指で押すと、表示部８２の表示が図５に示すように変化する。図５では、表示部８２が各グループの番号１〜１０を表示する。
【００４４】
そこで、オペレータが起動押釦スイッチ８１ｃを押すと、原稿読み取り動作が開始される（ステップＳ３）。つまり、載置部１１から原稿が一枚ずつピックアップローラ１２と送出ローラ３１によって搬送路に送出され、搬送ローラ１４によって搬送されてコンタクトガラス２１とプラテン１５との間を通って、排出部１８へ排出される。
【００４５】
そして、その間に、原稿は画像データとして特定パターンＭ（図１０）と共にＣＣＤ２６によって読み取られる。また、コンタクトガラス２１上を通過する原稿が原稿検知部（原稿検知センサ）１６によって検知され、制御部９０によって原稿読み取り枚数として計数される。
【００４６】
制御部９０は、ＣＣＤ２６が読み取った原稿の画像データと特定パターンＭとから、特定パターン付き原稿間毎に計数された原稿枚数Ｎと読み取られた画像データを順番にグループ番号を付けて画像格納部７０（図２）に格納する。それと同時に、そのグループ番号に対応する原稿枚数を図６に示すように表示部８２に表示させる（ステップＳ４）。
【００４７】
なお、この実施例では、特定パターン付原稿間の原稿枚数Ｎの代りに特定パターン付き原稿１枚を含む（Ｎ＋１）を表示するようにしている。そして、１００枚の原稿の読み取りが終了すると（ステップＳ５）、オペレータは図６に示す表示部８２の表示からグループ番号「４」およびグループ番号「７」の読み取り原稿枚数が不足していることを認識する（ステップＳ６）。
【００４８】
オペレータが図６に示す表示部８２のグループ番号「４」および「７」の表示領域を指で押すと（ステップＳ７）、その原稿枚数「８」と「７」が表示部８２から消去されると共に、格納部７０のグループ番号「４」および「７」に対応する格納領域から原稿の画像データが消去される。そこで、オペレータは全原稿１００枚を載置部１１に載置する（ステップＳ８）。
【００４９】
次に、オペレータは図６に示す表示部８２の「読み取り」の表示領域を指で押すと共に、起動押釦スイッチ８１ｃを押すと、すでに正常に読み取られているグループの原稿は読み取られずに空送りされ、グループ番号「４」と「７」に対応する原稿のみが順次読み取られる（ステップＳ９）。読み取られた画像データは画像格納部７０のグループ番号「４」と「７」に対応する格納領域に格納されると共に表示部８２の表示が図８に示すように変化し、グループ番号「４」と「７」に対応する読み取り原稿枚数が表示される（ステップＳ１０）。
【００５０】
そして、ルーチンはステップＳ６に戻る。そこで、オペレータは図８に示す表示部８２の表示からグループ番号「４」と「７」の原稿枚数が正しく修正されたことを認識する（ステップＳ６）。
【００５１】
これによって、オペレータは原稿枚数が１０枚より少ないグループは皆無であることを確認し（ステップＳ６）、図９に示す表示部８２の「印刷」の表示領域を指で押し、印刷部数、印刷濃度、倍率、原稿サイズを設定する。そして、起動押釦スイッチ８１ｃを押すと、前述の印刷動作が実行され、画像格納部７０に格納された原稿１００枚分の画像データが全て印刷される（ステップＳ１１，Ｓ１２）。
【００５２】
このようにして、画像処理装置１００によれば、原稿の重なりが容易に発見されるので、多数の原稿を漏れなく印刷することができる。なお、第１および第２実施例では、図１０に示すように原稿Ｐへの特定パターンＭを追加したが、その追加方法は、オペレータが手で特定パターンＭをスタンプしてもよく、また、特定パターンＭを所定枚数ごとに自動印字する自動印字装置を用いてもよい。また、出力部６０（図２）は画像形成部３０を備えるが、それに代えてファクシミリ送信装置を備えてもよい。
【符号の説明】
【００５３】
１０    原稿搬送部
１１    載置部
１２    原稿ピックアップローラ
１３    原稿送出ローラ
１４    搬送ソーラ
１５    プラテン
１６    原稿検知部
１７    原稿排出ローラ
１８    原稿排出部
２０    原稿読取部
２１    コンタクトガラス
２２    光源
２３    ミラー
２４    ミラー
２５    ミラー
２６    ＣＣＤ
２７    光学レンズ
３０    画像形成部
３１    レジストローラ
３２    感光体ドラム
３３    現像装置
３４    トナー補給装置
３５    転写装置
３６    クリーニング装置
３７    帯電装置
３８    定着装置
３９    搬送ソーラ
４０    用紙供給部
４１    用紙カセット
４２    ピックアップローラ
４３    用紙送出ローラ
５０    用紙排出ローラ
５１    用紙排出部
５２    露光装置
６０    出力部
７０    画像格納部
８０    操作部
８１    入力部
８１ａ  タッチパネル
８１ｂ  テンキー
８１ｃ  起動押釦スイッチ
８２    表示部
９０    制御部
１００  画像処理装置
【図１】
2015012575.tif 000003
【図２】
2015012575.tif 000004
【図３】
2015012575.tif 000005
【図４】
2015012575.tif 000006
【図５】
2015012575.tif 000007
【図６】
2015012575.tif 000008
【図７】
2015012575.tif 000009
【図８】
2015012575.tif 000010
【図９】
2015012575.tif 000011
【図１０】
2015012575.tif 000012
【図１１】
2015012575.tif 000013